【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
撮影画像を取得する撮影ステップと、
この撮影ステップにより取得された撮影画像をメモリに複数記録する記録ステップと、
前記メモリに記録されている複数の撮影画像の中から任意の撮影画像を選択する選択ステップと、
この選択ステップにより選択された撮影画像をカメラ起動時に表示されるオープニング画像として登録する登録ステップと、
カメラを起動する起動ステップと、
この起動ステップによりカメラが起動されたとき、前記登録ステップによりオープニング画像として登録されている撮影画像を表示部に表示させる表示制御ステップと
を含むことを特徴とする画像再生方法。
【請求項２】
撮影画像を取得する撮影手段と、
この撮影手段により取得された撮影画像を複数記録する記録手段と、
この記録手段に記録されている撮影画像を表示する表示手段と、
前記記録手段に記録されている複数の撮影画像の中から任意の撮影画像を選択する第１の選択手段と、
この第１の選択手段により選択された撮影画像をカメラ起動時に表示されるオープニング画像として登録する登録手段と、
カメラを起動する起動手段と、
この起動手段によりカメラが起動されたとき、前記登録手段によりオープニング画像として登録されている撮影画像を前記表示手段に表示させる表示制御手段と
を具備したことを特徴とするカメラ。
【請求項３】
前記登録手段は、前記第１の選択手段により選択された撮影画像をカメラ起動時に表示されるオープニング画像として登録する際に既にオープニング画像として登録されている撮影画像があるか否かを判断する手段と、既にオープニング画像として登録されている撮影画像があると判断された場合に該撮影画像のオープニング画像としての登録を取り消す手段とを含むことを特徴とする請求項２記載のカメラ。
【請求項４】
前記第１の選択手段は、前記記録手段に記録されている複数の撮影画像の中から任意の複数の撮影画像を選択する手段を含み、
前記登録手段は、前記第１の選択手段により選択された複数の撮影画像をカメラ起動時に表示されるオープニング画像として登録する手段を含み、
前記登録手段によりオープニング画像として登録されている複数の撮影画像の中から任意の撮影画像を選択する第２の選択手段を備え、
前記表示制御手段は、前記起動手段によりカメラが起動されたとき、前記第２の選択手段により選択された撮影画像を前記表示手段に表示させる手段を含むことを特徴とする請求項２記載のカメラ。
【請求項５】
前記登録手段は、前記第１の選択手段により選択された撮影画像に関連付けてカメラ起動時に表示されるオープニング画像である旨を示す情報を記録する記録制御手段を含み、
前記表示制御手段は、前記起動手段によりカメラが起動されたとき、前記記録制御手段により前記情報が関連付けて記憶されている撮影画像を前記表示手段に表示させる手段を含むことを特徴とする請求項２乃至４の何れかに記載のカメラ。
【請求項６】
前記登録手段は、前記第１の選択手段により選択された撮影画像をカメラ起動時に表示されるオープニング画像として記憶する記憶手段を含み、
前記表示制御手段は、前記起動手段によりカメラが起動されたとき、前記記憶手段に記憶されている撮影画像を前記表示手段に表示させる手段を含むことを特徴とする請求項２乃至４の何れかに記載のカメラ。
【請求項７】
前記記憶手段は、カメラ起動時に表示されるオープニング画像としてメーカ登録画像を記憶する手段を含み、
前記登録手段は、前記記憶手段に記憶されているメーカ登録画像を前記第１の選択手段により選択された撮影画像に置き換える手段を含むことを特徴とする請求項６記載のカメラ。
【請求項８】
カメラ起動時に表示されるオープニング画像としてメーカ登録画像を記憶する記憶手段と、
前記登録手段によりオープニング画像として登録されている撮影画像があるか否かを判断する判断手段とを備え、
前記表示制御手段は、前記判断手段により撮影画像がないと判断された場合、前記記憶手段に記憶されているメーカ登録画像を前記表示手段に表示させるとともに、前記判断手段により撮影画像があると判断された場合、前記登録手段によりオープニング画像として登録されている撮影画像を前記表示手段に表示させる手段を含むことを特徴とする請求項２乃至４の何れかに記載のカメラ。
【請求項９】
前記登録手段は、前記選択手段により選択された撮影画像が連続画像中の１枚の画像であった場合、前記連続画像をカメラ起動時に表示されるオープニング画像として登録する手段を含み、
前記表示制御手段は、前記起動手段によりカメラが起動されたとき、前記登録手段によりオープニング画像として登録されている前記連続画像を前記表示手段に表示させる手段を含むことを特徴とする請求項２乃至８の何れかに記載のカメラ。
【請求項１０】
前記登録手段は、前記選択手段により選択された撮影画像がパノラマ画像の一部であった場合、前記パノラマ画像をカメラ起動時に表示されるオープニング画像として登録する手段を含み、
前記表示制御手段は、前記起動手段によりカメラが起動されたとき、前記登録手段によりオープニング画像として登録されている前記パノラマ画像を前記表示手段に表示させる手段を含むことを特徴とする請求項２乃至９の何れかに記載のカメラ。
【請求項１１】
前記第１の選択手段により選択された撮影画像を加工する加工手段を備え、
前記登録手段は、前記加工手段により加工された撮影画像をカメラ起動時に表示されるオープニング画像として登録する手段を含むことを特徴とする請求項２乃至１０の何れかに記載のカメラ。
【手続補正２】
【補正対象書類名】明細書
【補正対象項目名】０００５
【補正方法】変更
【補正の内容】
【０００５】
【課題を解決するための手段】
上記の課題を解決するために、本発明の画像再生方法は、撮影画像を取得する撮影ステップと、この撮影ステップにより取得された撮影画像をメモリに複数記録する記録ステップと、前記メモリに記録されている複数の撮影画像の中から任意の撮影画像を選択する選択ステップと、この選択ステップにより選択された撮影画像をカメラ起動時に表示されるオープニング画像として登録する登録ステップと、カメラを起動する起動ステップと、この起動ステップによりカメラが起動されたとき、前記登録ステップによりオープニング画像として登録されている撮影画像を表示部に表示させる表示制御ステップとを含むことを特徴とする。
また、本発明のカメラは、撮影画像を取得する撮影手段と、この撮影手段により取得された撮影画像を複数記録する記録手段と、この記録手段に記録されている撮影画像を表示する表示手段と、前記記録手段に記録されている複数の撮影画像の中から任意の撮影画像を選択する第１の選択手段と、この第１の選択手段により選択された撮影画像をカメラ起動時に表示されるオープニング画像として登録する登録手段と、カメラを起動する起動手段と、この起動手段によりカメラが起動されたとき、前記登録手段によりオープニング画像として登録されている撮影画像を前記表示手段に表示させる表示制御手段とを具備したことを特徴とする。
【手続補正３】
【補正対象書類名】明細書
【補正対象項目名】０００６
【補正方法】変更
【補正の内容】
【０００６】
また、前記登録手段は、前記第１の選択手段により選択された撮影画像をカメラ起動時に表示されるオープニング画像として登録する際に既にオープニング画像として登録されている撮影画像があるか否かを判断する手段と、既にオープニング画像として登録されている撮影画像があると判断された場合に該撮影画像のオープニング画像としての登録を取り消す手段とを含むようにしてもよい。
また、前記第１の選択手段は、前記記録手段に記録されている複数の撮影画像の中から任意の複数の撮影画像を選択する手段を含み、前記登録手段は、前記第１の選択手段により選択された複数の撮影画像をカメラ起動時に表示されるオープニング画像として登録する手段を含み、前記登録手段によりオープニング画像として登録されている複数の撮影画像の中から任意の撮影画像を選択する第２の選択手段を備え、前記表示制御手段は、前記起動手段によりカメラが起動されたとき、前記第２の選択手段により選択された撮影画像を前記表示手段に表示させる手段を含むようにしてもよい。
【手続補正４】
【補正対象書類名】明細書
【補正対象項目名】０００７
【補正方法】変更
【補正の内容】
【０００７】
また、前記登録手段は、前記第１の選択手段により選択された撮影画像に関連付けてカメラ起動時に表示されるオープニング画像である旨を示す情報を記録する記録制御手段を含み、前記表示制御手段は、前記起動手段によりカメラが起動されたとき、前記記録制御手段により前記情報が関連付けて記憶されている撮影画像を前記表示手段に表示させる手段を含むようにしてもよい。
また、前記登録手段は、前記第１の選択手段により選択された撮影画像をカメラ起動時に表示されるオープニング画像として記憶する記憶手段を含み、前記表示制御手段は、前記起動手段によりカメラが起動されたとき、前記記憶手段に記憶されている撮影画像を前記表示手段に表示させる手段を含むようにしてもよい。
【手続補正５】
【補正対象書類名】明細書
【補正対象項目名】０００８
【補正方法】変更
【補正の内容】
【０００８】
また、前記記憶手段は、カメラ起動時に表示されるオープニング画像としてメーカ登録画像を記憶する手段を含み、前記登録手段は、前記記憶手段に記憶されているメーカ登録画像を前記第１の選択手段により選択された撮影画像に置き換える手段を含むようにしてもよい。
また、カメラ起動時に表示されるオープニング画像としてメーカ登録画像を記憶する記憶手段と、前記登録手段によりオープニング画像として登録されている撮影画像があるか否かを判断する判断手段とを備え、前記表示制御手段は、前記判断手段により撮影画像がないと判断された場合、前記記憶手段に記憶されているメーカ登録画像を前記表示手段に表示させるとともに、前記判断手段により撮影画像があると判断された場合、前記登録手段によりオープニング画像として登録されている撮影画像を前記表示手段に表示させる手段を含むようにしてもよい。
【手続補正６】
【補正対象書類名】明細書
【補正対象項目名】０００９
【補正方法】変更
【補正の内容】
【０００９】
また、前記登録手段は、前記選択手段により選択された撮影画像が連続画像中の１枚の画像であった場合、前記連続画像をカメラ起動時に表示されるオープニング画像として登録する手段を含み、前記表示制御手段は、前記起動手段によりカメラが起動されたとき、前記登録手段によりオープニング画像として登録されている前記連続画像を前記表示手段に表示させる手段を含むようにしてもよい。
また、前記登録手段は、前記選択手段により選択された撮影画像がパノラマ画像の一部であった場合、前記パノラマ画像をカメラ起動時に表示されるオープニング画像として登録する手段を含み、前記表示制御手段は、前記起動手段によりカメラが起動されたとき、前記登録手段によりオープニング画像として登録されている前記パノラマ画像を前記表示手段に表示させる手段を含むようにしてもよい。
また、前記第１の選択手段により選択された撮影画像を加工する加工手段を備え、前記登録手段は、前記加工手段により加工された撮影画像をカメラ起動時に表示されるオープニング画像として登録する手段を含むようにしてもよい。
【手続補正７】
【補正対象書類名】明細書
【補正対象項目名】００７３
【補正方法】変更
【補正の内容】
【００７３】
【発明の効果】
以上説明したように、本発明によればカメラの記録画像のうちから、ユーザの所望の画像をカメラの特定動作時に表示する特定時表示画像として設定（登録）しておき、カメラの動作中の特定のタイミング（時機）に対応する特定時表示画像を表示できる（例えば、起動時にユーザの登録したオープニング画像を表示したり、動作終了時にユーザの登録したエンディング画像を表示できる）ので個々のカメラに独自性（ユニーク性）を持たすことができる。
【手続補正８】
【補正対象書類名】明細書
【補正対象項目名】００７４
【補正方法】変更
【補正の内容】
【００７４】
また、本発明によれば所望の画像を特定時表示画像として設定（登録）しておき、カメラの動作中の特定のタイミング（時機）に対応する特定時表示画像を表示できるので、撮影時に予め特定時表示用の被写体を構成しておく等の工夫が出来る。従って、個々のカメラにユーザによる創意を加えた画面を表示することができ、より独自性（ユニーク性）を持ったカメラとすることができる（例えば、自分の顔写真を貼付し、氏名を描いた紙を被写体として撮像してオープニング画像として登録しておけば、カメラの所有者が判然とし、他者との混同がなくなる等）。
【手続補正９】
【補正対象書類名】明細書
【補正対象項目名】００７５
【補正方法】削除
【補正の内容】